(57)【要約】【課題】単一の対物光学系で形成した物体の像を双眼観察可能であり、全長の短縮化を図った望遠鏡等を提供する。【解決手段】物体側から順に、前記物体の一次像Ａを形成する対物光学系７と、対物光学系７が形成する一次像Ａを倒立する倒立光学系８と、倒立光学系８からの光路を偏向して迂回光路１４を形成し、かつ迂回光路１４の射出光軸を対物光学系７の射出光軸を含む面（ＹＺ平面）上に導く偏向光学系１１と、倒立光学系８によって倒立された一次像Ａをリレーして二次像Ｂを形成するリレー光学系１０とを含む導光光学系１２と、導光光学系１２からの光路を２つに分割する光路分割光学系１３と、光路分割光学系１３で分割された光路を両眼へ導く一対の接眼光学系６ａ，６ｂと、を有することを特徴とする。【選択図】図２
2010204574.tif 000002
【特許請求の範囲】
【請求項１】
物体側から順に、
前記物体の一次像を形成する対物光学系と、
前記対物光学系が形成する前記一次像を倒立する倒立光学系と、
前記倒立光学系によって倒立された前記一次像をリレーして二次像を形成するリレー光学系と、前記倒立光学系からの光路を偏向して迂回光路を形成し、前記迂回光路中に前記リレー光学系の光路の一部を前記対物光学系の光軸と異なる方向に延在させ、かつ前記迂回光路の射出光軸を前記対物光学系の光軸を含む面上に導く偏向光学系と、を含む導光光学系と、
前記導光光学系からの光路を２つに分割する光路分割光学系と、
前記光路分割光学系で分割された光路を両眼へ導く一対の接眼光学系と、を有することを特徴とする望遠鏡。
【請求項２】
前記偏向光学系は、前記倒立光学系からの光を略垂直に偏向する第１偏向手段と、該第１偏向手段からの光を略垂直に偏向する第２偏向手段と、該第２偏向手段からの光を略垂直に偏向する第３偏向手段と、該第３偏向手段からの光を略垂直に偏向する第４偏向手段と、を有し、
前記第１偏向手段と前記第２偏向手段との光軸上の間隔と、前記第３偏向手段と前記第４偏向手段との光軸上の間隔とが略等しいことを特徴とする請求項１に記載の望遠鏡。
【請求項３】
前記偏向光学系は、前記第１偏向手段の偏向面の法線と前記第４偏向手段の偏向面の法線とがねじれの位置にあり、前記第２偏向手段の偏向面の法線と前記第３偏向手段の偏向面の法線とが同一平面内において略直交することを特徴とする請求項２に記載の望遠鏡。
【請求項４】
前記偏向光学系は、
前記第２偏向手段と前記第３偏向手段との光軸上の間隔が、
前記倒立光学系の入射光軸と射出光軸との距離と略等しいことを特徴とする請求項３に記載の望遠鏡。
【請求項５】
前記偏向光学系は、前記第１偏向手段の偏向面の法線、前記第２偏向手段の偏向面の法線、前記第３偏向手段の偏向面の法線、及び前記第４偏向手段の偏向面の法線が、いずれも同一平面内にあり、倒立光学部材をさらに有することを特徴とする請求項２に記載の望遠鏡。
【請求項６】
前記導光光学系の入射光軸と前記導光光学系の射出光軸は、前記対物光学系の光軸方向と同方向であり、前記導光光学系中の光路の一部は、前記対物光学系の光軸方向と異なる方向に延在していることを特徴とする請求項１に記載の望遠鏡。
【請求項７】
前記対物光学系の光軸を含む面は、前記一対の接眼光学系の間隔方向に対して垂直な面であることを特徴とする請求項１から請求項６のいずれか一項に記載の望遠鏡。
【請求項８】
以下の条件式を満足することを特徴とする請求項１から請求項７のいずれか一項に記載の望遠鏡。
β≦２／３・φｏ・ｆｅ／ｆｏ
ただし、
β  ：前記リレー光学系の倍率
ｆｏ：前記対物光学系の焦点距離
φｏ：前記対物光学系の有効径
ｆｅ：前記接眼光学系の焦点距離
【請求項９】
物体の一次像を形成する対物光学系と、前記対物光学系が形成する前記一次像を倒立する倒立光学系と、を有する望遠鏡の本体部に装着される双眼装置であって、
前記倒立光学系によって倒立された前記一次像をリレーして二次像を形成するリレー光学系と、前記倒立光学系からの光路を偏向して迂回光路を形成し、前記迂回光路中に前記リレー光学系の光路の一部を前記対物光学系の光軸と異なる方向に延在させ、かつ前記迂回光路の射出光軸を前記対物光学系の光軸を含む面上に導く偏向光学系と、を含む導光光学系と、
前記導光光学系からの光路を２つに分割して一対の接眼光学系へ導く光路分割光学系と、を有することを特徴とする双眼装置。
【発明の詳細な説明】
【技術分野】
【０００１】
本発明は、望遠鏡、双眼装置に関する。
【背景技術】
【０００２】
従来、対物光学系と、対物光学系に着脱可能な接眼光学系とからなる望遠鏡が知られており、斯かる望遠鏡においては焦点距離の異なる複数の接眼光学系を用意することで、観察対象（物体）に応じて最適な倍率で観察を行うことが可能であった（例えば、特許文献１を参照。）。
【先行技術文献】
【特許文献】
【０００３】
【特許文献１】特開２００７−２７９１８９号公報
【発明の概要】
【発明が解決しようとする課題】
【０００４】
上述のような従来の望遠鏡においては、接眼光学系が単眼であるため、観察者は常に片眼で観察を行わなければならず、眼が疲れやすく長時間の観察には不向きであった。そこで、双眼観察が可能な望遠鏡を構成することが考えられるが、このような望遠鏡においては対物光学系からの光束を２つに分割するための双眼機構を光路中に配置する必要があるため、光軸方向における所定の空間を確保することが必要となる。しかしながら従来の望遠鏡には、対物光学系と対物光学系が形成する物体の一次像との間に倒立光学系が備えられており、双眼機構を配置するための空間を確保することが困難であった。また、リレーレンズを用いることで当該空間を確保することは可能であるものの、これによって望遠鏡の全長が大きくなり過ぎるため、使用しにくい望遠鏡となってしまうという問題があった。
【０００５】
そこで本発明は上記問題点に鑑みてなされたものであり、単一の対物光学系で形成した物体の像を双眼観察可能であり、全長の短縮化を図った望遠鏡、双眼装置を提供することを目的とする。
【課題を解決するための手段】
【０００６】
上記課題を解決するために本発明は、
物体側から順に、
前記物体の一次像を形成する対物光学系と、
前記対物光学系が形成する前記一次像を倒立する倒立光学系と、
前記倒立光学系によって倒立された前記一次像をリレーして二次像を形成するリレー光学系と、前記倒立光学系からの光路を偏向して迂回光路を形成し、前記迂回光路中に前記リレー光学系の光路の一部を前記対物光学系の光軸と異なる方向に延在させ、かつ前記迂回光路の射出光軸を前記対物光学系の光軸を含む面上に導く偏向光学系と、を含む導光光学系と、
前記導光光学系からの光路を２つに分割する光路分割光学系と、
前記光路分割光学系で分割された光路を両眼へ導く一対の接眼光学系と、を有することを特徴とする望遠鏡を提供する。
【０００７】
また本発明は、
物体の一次像を形成する対物光学系と、前記対物光学系が形成する前記一次像を倒立する倒立光学系と、を有する望遠鏡の本体部に装着される双眼装置であって、
前記倒立光学系によって倒立された前記一次像をリレーして二次像を形成するリレー光学系と、前記倒立光学系からの光路を偏向して迂回光路を形成し、前記迂回光路中に前記リレー光学系の光路の一部を前記対物光学系の光軸と異なる方向に延在させ、かつ前記迂回光路の射出光軸を前記対物光学系の光軸を含む面上に導く偏向光学系と、を含む導光光学系と、
前記導光光学系からの光路を２つに分割して一対の接眼光学系へ導く光路分割光学系と、を有することを特徴とする双眼装置を提供する。
【発明の効果】
【０００８】
本発明によれば、単一の対物光学系で形成した物体の像を双眼観察可能であり、全長の短縮化を図った望遠鏡、双眼装置を提供することができる。
【図面の簡単な説明】
【０００９】
【図１】本発明の第１実施形態に係る望遠鏡の構成を示す斜視分解図である。
【図２】本発明の第１実施形態に係る望遠鏡における双眼装置の構成を示す図である。
【図３】本発明の第２実施形態に係る望遠鏡の構成を示す斜視分解図である。
【図４】本発明の第２実施形態に係る望遠鏡における双眼装置の構成を示す図である。
【発明を実施するための形態】
【００１０】
以下、本発明の各実施形態に係る望遠鏡を添付図面に基づいて詳細に説明する。
（第１実施形態）
図１及び図２に示すように本実施形態に係る望遠鏡１は、不図示の物体側から順に、対物部２、ボディ部３と双眼部４からなる双眼装置５、及び左右一対の接眼レンズ６ａ，６ｂを有してなる。
対物部２は、物体からの光を結像して一次像Ａを形成する対物光学系７と、対物光学系７が形成する物体の一次像Ａを倒立して正立像とする倒立光学系（本実施形態ではポロプリズム）８とを有する。
【００１１】
ボディ部３は、図２に示すようにフィールドレンズ９と、リレー光学系１０と偏向光学系１１とからなる導光光学系１２とを有する。なお、図１に示すようにボディ部３にはマウント３ａが形成されており、対物部２に対してボディ部３を取り外し自在に装着することが可能である。
フィールドレンズ９は、物体の一次像Ａの近傍に配置されており、対物部２からの光束を有効に利用するべく対物部２の射出瞳を、リレー光学系１０における後述の第１リレーレンズ１０ａと第２リレーレンズ１０ｂとの中間位置に形成するものである。
【００１２】
リレー光学系１０は、物体の一次像Ａを形成した光を再結像して二次像Ｂを形成するものであり、偏向光学系１１における後述の第１ミラー１１ａと第２ミラー１１ｂとの間に配置された第１リレーレンズ１０ａと、第２ミラー１１ｂと第３ミラー１１ｃとの間に配置された第２リレーレンズ１０ｂとからなる。このリレー光学系１０によって望遠鏡１の光路が延長され、後述する光路分割光学系１３を配置するための空間（十分に長い光路長）を確保することができる。
【００１３】
偏向光学系１１は、対物部２からの光を対物光学系７の光軸方向とは異なる方向、例えば、側方（図１及び図２中に示す−Ｘ方向）へ垂直に反射する第１ミラー１１ａと、第１ミラー１１ａからの光を下方（−Ｙ方向）へ垂直に反射する第２ミラー１１ｂと、第２ミラー１１ｂからの光を側方（Ｘ方向）へ垂直に反射する第３ミラー１１ｃと、第３ミラー１１ｃからの光を対物光学系７の光軸方向と同じ方向に反射するための像側（Ｚ方向）へ垂直に反射する第４ミラー１１ｄとからなる。したがって、第１ミラー１１ａの反射面の法線と第４ミラー１１ｄの反射面の法線とがねじれの位置にあり、第２ミラー１１ｂの反射面の法線と第３ミラー１１ｃの反射面の法線とが同一平面（第１ミラー１１ａの入射光軸に垂直な平面）内において直交している。
また、本実施形態における偏向光学系１１は、第１ミラー１１ａと第２ミラー１１ｂの光軸上の間隔と、第３ミラー１１ｃと第４ミラー１１ｄの光軸上の間隔とが等しく、また、第２ミラー１１ｂと第３ミラー１１ｃの光軸上の間隔が、対物部２における倒立光学系８の入射光軸と射出光軸の距離（Ｙ方向における距離）と等しくなるように構成されている。
【００１４】
本実施形態に係る望遠鏡１は、上記構成の偏向光学系１１によって光路を偏向して迂回させることで、リレー光学系１０の対物光学系７の光軸方向における長さの短縮化、即ち望遠鏡１の全長の短縮化を実現している。なお、偏向光学系１１の各ミラー１１ａ，１１ｂ，１１ｃ，１１ｄによって形成される光路を迂回光路１４と称する。
また本実施形態において、偏向光学系１１の各ミラー１１ａ，１１ｂ，１１ｃ，１１ｄは、リレー光学系１０が形成する二次像Ｂを倒立して正立像とする役割も担っている。
なお、偏向光学系１１は、前述のように各ミラー１１ａ，１１ｂ，１１ｃ，１１ｄが光を順次垂直に反射する構成であるため、製造時の各ミラー１１ａ，１１ｂ，１１ｃ，１１ｄの位置調整が容易であるという利点を有している。
【００１５】
双眼部４は、図２に示すようにボディ部３からの光を分割して各接眼レンズ６ａ，６ｂへ導くための光路分割光学系１３を有する。なお、図１に示すように双眼部４にはマウント４ａが形成されており、ボディ部３に対して双眼部４を取り外し自在に装着することが可能である。
光路分割光学系１３は、顕微鏡の双眼鏡筒として知られた所謂ジーデントップ型の光学系であって、ボディ部３からの光路（物体の一次像Ａから二次像Ｂまでの光路）を２つに分割するハーフミラー１５と、ハーフミラー１５を透過した光を側方（Ｘ方向）へ垂直に反射するミラー１６と、ミラー１６からの光を像側（Ｚ方向）へ垂直に反射して接眼レンズ６ａへ導くミラー１７と、ハーフミラー１５で側方（−Ｘ方向）へ垂直に反射された光を像側（Ｚ方向）へ垂直に反射して接眼レンズ６ｂへ導くミラー１８とからなる。
【００１６】
なお、光路分割光学系１３のハーフミラー１５及びミラー１８は、ハーフミラー１５の透過光軸の延長線上に設定された不図示の機構軸を中心に、接眼レンズ６ｂと一体的に回動させることが可能である。またこれと同様にミラー１６及びミラー１７は、前記機構軸を中心に接眼レンズ６ａと一体的に回動させることが可能である。この構成により望遠鏡１の使用者は、接眼レンズ６ａ，６ｂを前記機構軸を中心に回動させて、これらの間隔Ｗを眼幅に合わせて調整することができる。
【００１７】
接眼レンズ６ａ，６ｂは、物体の二次像Ｂを拡大して双眼観察するためのものである。接眼レンズ６ａ，６ｂには図１に示すようにマウント１９がそれぞれ形成されており、双眼部４に対して取り外し自在に装着することができる。
なお、接眼レンズ６ａ，６ｂのマウント１９は、ボディ部３のマウント３ａと同形状に形成されている。このため本実施形態に係る望遠鏡１は、接眼レンズ６ａ，６ｂの一方を対物部２に直接装着することで、単眼の望遠鏡として使用することも可能である。
【００１８】
上記構成の本実施形態に係る望遠鏡１において、物体からの光は、対物部２の対物光学系７によって結像され、倒立光学系８を経た後に一次像（正立像）Ａを形成する。一次像Ａを形成した光は、ボディ部３におけるフィールドレンズ９、第１ミラー１１ａ、第１リレーレンズ１０ａ、第２ミラー１１ｂ、第３ミラー１１ｃ、第２リレーレンズ１０ｂ、及び第４ミラー１１ｄを順に経て双眼部４へ導かれる。この光は双眼部４においてハーフミラー１５で透過光と反射光に分割され、反射光はミラー１８で反射されて二次像（正立像）Ｂを形成し、透過光はミラー１６，１７で順に反射されて二次像（正立像）Ｂを形成する。これにより望遠鏡１の使用者は、接眼レンズ６ａ，６ｂを覗き込むことで物体の正立像を双眼観察することが可能となる。
【００１９】
以上、本実施形態に係る望遠鏡１は、対物光学系７によって形成された物体の一次像Ａをリレー光学系１０でリレーすることにより、対物光学系７の焦点距離を長くすることなしに双眼部４を配置するためのスペースを光路中に確保している。
ここで、当該スペースを確保しながら望遠鏡１の明るさを極力落とさないようにするためには、リレー光学系１０の光路長を長くしなければならず、これによって望遠鏡１の全長が増大してしまうこととなる。そこで本実施形態に係る望遠鏡１は、上述のようにリレー光学系１０を含む導光光学系１２に偏向光学系１１を導入して、導光光学系１２の入射光軸と射出光軸が対物光学系７の光軸を含む平面内に含まれるように設定し、かつ偏向光学系１１により対物光学系７の光軸方向とは異なる方向に延在した部分を持つ迂回光路１４を形成することで、望遠鏡１の全長の短縮化を適切に図っている。
【００２０】
また、本実施形態に係る望遠鏡１は、上述のように偏向光学系１１の第１ミラー１１ａと第２ミラー１１ｂの光軸上の間隔と、第３ミラー１１ｃと第４ミラー１１ｄの光軸上の間隔とが等しい。このため、第１ミラー１１ａの入射光軸と第４ミラー１１ｄの射出光軸とがＹＺ平面内に位置することとなり、偏向光学系１１でＸ方向における対物光学系７の光軸方向と使用者が接眼レンズ６ａ，６ｂを覗き込む方向の差である視差（横視差）が生じることはない。このように、図１の間隔Ｗが示す左右の接眼レンズ６ａ，６ｂの間隔方向に対して垂直で、かつ対物光学系７の光軸方向を含む面内に導光光学系１２の射出光軸を設定することで、横視差が解消され、使用者が目視で定めた被観察対象を戸惑いなく望遠鏡１の視野内におさめることができる。
また、第２ミラー１１ｂと第３ミラー１１ｃとの光軸上の間隔は、倒立光学系８の入射光軸と射出光軸のＹ方向での距離に等しい。これにより、倒立光学系８で生じたＹ方向における対物光学系７の光軸方向と使用者が接眼レンズ６ａ，６ｂを覗き込む方向の差である視差（縦視差）を適切に解消することができる。これにより観察者から見て上下方向の視差も解消できるので、さらに容易に使用者が目視で定めた被観察対象を望遠鏡１の視野内におさめることができる。
即ち、本実施形態に係る望遠鏡１は、対物光学系７の射出光軸の延長線上に迂回光路１４の射出光軸が位置するように構成されており、これによって縦視差及び横視差の発生を効果的に抑えている。
【００２１】
次に、本実施形態に係る望遠鏡１による物体の観察像の明るさについて説明する。
一般に、双眼鏡の瞳径φｅは次の式（１）で表される。
（１）  φｅ＝φｏ・ｆｅ／ｆｔ
ただし、
φｅ：双眼鏡の瞳径
φｏ：双眼鏡の対物レンズの入射瞳径（有効径）
ｆｅ：双眼鏡の接眼レンズの焦点距離
ｆｔ：双眼鏡の対物レンズの焦点距離
【００２２】
本実施形態に係る望遠鏡１において、上記式（１）のｆｔは対物光学系７の焦点距離ｆｏにリレー光学系１０の倍率βを乗じたもの、ｆｅは接眼レンズ６ａ，６ｂの焦点距離、φｏは対物光学系７の入射瞳径にそれぞれ相当する。このため、望遠鏡１の瞳径φｅは次の式（２）で表される。
（２）  φｅ＝φｏ・ｆｅ／（ｆｏ・β）
【００２３】
ここで、双眼鏡において、観察像の明るさは接眼レンズの瞳径の大きさによって決まる。通常、人間の瞳の大きさは明るい環境において直径１．５〜２．０ｍｍ程度と言われており、双眼鏡の瞳径が人間の瞳径よりも小さければ、観察像は物体を裸眼で見た場合よりも暗くなり、これが極端になれば双眼鏡が非常に使いづらいものとなってしまう。一方、昼間に使用される測量用の望遠鏡は、瞳径が１．５ｍｍのものでも視力の低下が少ないとして使用されている。このため、上記式（２）のφｅを１．５とすれば、次の式（３）が得られる。
（３）  １．５≦φｏ・ｆｅ／（ｆｏ・β）
【００２４】
さらに、式（３）をリレー光学系１０の倍率βについて書き直すと次の式（４）が得られる。したがって、本実施形態に係る望遠鏡１は、式（４）を満足することによって観察像の明るさを確保することができる。
（４）  β≦２／３・φｏ・ｆｅ／ｆｏ
ただし、
β  ：リレー光学系１０の倍率
φｏ：対物光学系７の入射瞳径（有効径）
ｆｅ：接眼レンズ６ａ，６ｂの焦点距離
ｆｏ：対物光学系７の焦点距離
【００２５】
なお、本実施形態に係る望遠鏡１は、瞳径を２ｍｍ以上（上記式（２）のφｅを２．０）として得られる次の式（５）を満足することがより望ましい。これにより、観察像の明るさを十分に確保しより快適に使用可能な望遠鏡を実現することができる。
（５）  β≦１／２・φｏ・ｆｅ／ｆｏ
【００２６】
以上、本実施形態に係る望遠鏡１によれば、単一の対物光学系７で形成した物体の像を双眼観察することが可能であり、これによって長時間の観察が可能となる。また、縦視差及び横視差の発生を解消するとともに全長の短縮化を図ることができ、これによってコンパクト化と良好な操作性を実現することができる。
なお、本実施形態において、偏向光学系１１は上述のようにミラー１１ａ，１１ｂ，１１ｃ，１１ｄで構成されているが、これに限られず反射プリズム等で構成してもよい。また、光路分割光学系１３はハーフミラー１５及びミラー１６，１７，１８で構成されているが、これに限られずハーフプリズム及び反射プリズム等で構成してもよい。なお、これらのことは次に述べる第２実施形態においても同様である。
【００２７】
（第２実施形態）
図３及び図４に示す本実施形態に係る望遠鏡２１について、上記第１実施形態と同様の構成の部分には同じ符号を付してその説明を省略し、異なる構成の部分について詳細に説明する。
本実施形態に係る望遠鏡２１において、対物部２は上記第１実施形態の倒立光学系８に代えて、入射光軸と射出光軸とが同一直線上に位置する不図示の倒立光学系（本実施形態ではペチャンプリズム）を備えている。
【００２８】
また、本実施形態に係る望遠鏡２１において、偏向光学系２２は、対物部２からの光を対物光学系７の光軸方向とは異なる方向、例えば、側方（図３及び図４中に示す−Ｘ方向）へ垂直に反射する第１ミラー２２ａと、第１ミラー２２ａからの光を対物光学系７の光軸方向と同じ方向に反射するための像側（Ｚ方向）へ垂直に反射する第２ミラー２２ｂと、第２ミラー２２ｂからの光を側方（Ｘ方向）へ垂直に反射する第３ミラー２２ｃと、第３ミラー２２ｃからの光を対物光学系７の光軸方向と同じ方向に反射するための像側（Ｚ方向）へ垂直に反射する第４ミラー２２ｄとを有している。したがって、第１ミラー２２ａの反射面の法線、第２ミラー２２ｂの反射面の法線、第３ミラー２２ｃの反射面の法線、及び第４ミラー２２ｄの反射面の法線が、いずれも同一平面（ＸＺ平面）内に位置している。
【００２９】
また、偏向光学系２２は、第１ミラー２２ａと第２ミラー２２ｂとの光軸上の間隔と、第３ミラー２２ｃと第４ミラー２２ｄとの光軸上の間隔とが等しくなるように構成されている。
さらに、偏向光学系２２は、第１リレーレンズ１０ａと第２リレーレンズ１０ｂの間であって、第２ミラー２２ｂと第３ミラー２２ｃとの間に配置された倒立光学部材２２ｅを有している。倒立光学部材２２ｅは、リレー光学系１０が形成する物体の二次像Ｂを倒立して正立像とするものであり、本実施形態では対物部２の不図示の倒立光学系と同様に入射光軸と射出光軸とが同一直線上に位置するペチャンプリズムが用いられている。
【００３０】
なお、本実施形態においてリレー光学系１０は、第１リレーレンズ１０ａと第２リレーレンズ１０ｂの間の光束が平行光束となるようにこれらの焦点距離と位置関係を決定することで、これらの光軸上の間隔を変更することが可能である。このため、倒立光学部材２２ｅの大きさの自由度が高く、倒立光学部材２２ｅの大きさに合わせて第１リレーレンズ１０ａと第２リレーレンズ１０ｂの光軸上の間隔を設定することが可能である。
以上、本実施形態に係る望遠鏡２１は、上記第１実施形態と同様に、リレー光学系１０によって双眼部４を配置するためのスペースを光路中に確保しながら、偏向光学系２２によって迂回光路２３を形成して望遠鏡２１の全長の短縮化を適切に図っている。
【００３１】
また、本実施形態に係る望遠鏡２１は、上述のように偏向光学系２２の第１ミラー２２ａと第２ミラー２２ｂの光軸上の間隔と、第３ミラー２２ｃと第４ミラー２２ｄの光軸上の間隔とが等しい。このため、第１ミラー２２ａの入射光軸と第４ミラー２２ｄの射出光軸とがＹＺ平面内に位置することとなり、偏向光学系２２で横視差が生じることはない。
なお、本実施形態において対物部２は、上述のように倒立光学系として不図示のペチャンプリズムを備えているため、縦視差が生じることがない。このため偏向光学系２２は、迂回光路２３を一平面（ＸＺ平面）内に形成し、倒立光学部材２２ｅで物体の二次像Ｂを正立化する構成とすることで、縦視差が生じない状態を維持している。
即ち、本実施形態に係る望遠鏡２１は、対物光学系７の光軸の延長線上に迂回光路２３の射出光軸が位置するように構成されており、これによって縦視差及び横視差の発生を効果的に抑えている。
【００３２】
以上の構成により本実施形態に係る望遠鏡２１は、上記第１実施形態と同様の効果を奏することができる。また、ボディ部３及び双眼部４を構成する各光学要素が全て同一平面（ＸＺ平面）上に配置される構成であるため、Ｙ方向において双眼装置５のコンパクト化を達成することができる。
【００３３】
以上、上記各実施形態によれば、単一の対物光学系で形成した物体の像を双眼観察可能であり、視差の発生を抑え全長の短縮化を図った望遠鏡、双眼装置を実現することができる。
【符号の説明】
【００３４】
１，２１      望遠鏡
２            対物部
３            ボディ部
４            双眼部
５            双眼装置
６ａ，６ｂ    接眼レンズ
７            対物光学系
８            倒立光学系（ポロプリズム）
１２          導光光学系
１０          リレー光学系
１１，２２    偏向光学系
１３          光路分割光学系
１４，２３    迂回光路
２２ｅ        倒立光学部材（ペチャンプリズム）
Ａ            物体の一次像
Ｂ            物体の二次像
【図１】
2010204574.tif 000003
【図２】
2010204574.tif 000004
【図３】
2010204574.tif 000005
【図４】
2010204574.tif 000006